(57)【特許請求の範囲】
【請求項１】
正極集電体の両面に正極材料が塗着された正極極板と、負極集電体の両面に負極材料が塗着された負極極板とを、それぞれ収容スペースの円形形状に対応する形状に形成した複数の積層面を順次長さが長くなる連結片で連結した帯状に形成し、
前記正極極板の積層面と負極極板の積層面とがセパレータを介して交互に積層されるように前記連結片で折り曲げて正極極板と負極極板とを偏平に巻回して極板群を形成し、
この極板群を円形半殻体に形成された正極ケースと負極ケースとをそれぞれの開口部を対面させて結合する内部空間内に収容し、
正極ケースと負極ケースとの間を封口してコイン形電池に形成することを特徴とするコイン形電池の製造方法。
【請求項２】
正極集電体の両面に正極材料が塗着された正極極板と、負極集電体の両面に負極材料が塗着された負極極板とをそれぞれ一定幅の帯状に形成し、前記正極極板と負極極板とを一定幅の帯状に形成されたセパレータを介して平面形状が四角形になるような偏平に巻回して極板群形成準備品を形成し、
この極板群形成準備品の四隅角部を厚さ方向に直線もしくは円弧に裁断して略八角形の極板群に形成し、
この極板群を円形半殻体に形成された正極ケースと負極ケースとをそれぞれの開口部を対面させて結合する内部空間内に収容し、
正極ケースと負極ケースとの間を封口してコイン形電池に形成することを特徴とするコイン形電池の製造方法。
【請求項３】
極板群形成準備品の四隅角部は、熱カッターにより裁断する請求項２に記載のコイン形電池の製造方法。
【請求項４】
極板群形成準備品の四隅角部は、−７０℃以下の雰囲気下で型抜きする請求項２に記載のコイン形電池の製造方法。
【請求項５】
裁断部分に熱硬化性樹脂を塗布する請求項４に記載のコイン形電池の製造方法。
【請求項６】
一端に正極リードが形成された正極極板と、一端に負極リードが形成された負極極板とを、巻き終りの一方面側に正極リード、他方面側に負極リードが位置するようにセパレータを介して偏平に巻回して極板群を形成し、円形半殻体に形成された正極ケース及び負極ケースからなる外装体のいずれか一方のケース内に前記極板群を配設し、前記正極リードを正極ケースの内面に超音波溶接し、前記負極リードを負極ケースの内面に絶縁性受台で押圧した状態で負極ケース外面の負極リード押圧位置に対応する位置に圧接させた一対の溶接電極の間に溶接電流を印加するシリーズ溶接により負極リードを負極ケースの内面に溶接し、正極ケースと負極ケースとの間を封口してコイン形電池に形成することを特徴とするコイン形電池の製造方法。
【請求項７】
円形半殻体に形成された正極ケースと負極ケースとを互いの開口部を対向配置した内部空間内に、正極極板と負極極板とをセパレータを介して巻回した極板群を収容し、正極ケースと負極ケースとをそれぞれの側周面の間にガスケットを配して結合するコイン形電池の製造方法であって、前記正極ケース及び／又は負極ケースの底面に内側に向けて凹部を形成し、この凹部により前記内部空間内に収容した極板群が緊迫されるように正極ケースと負極ケースとの間を結合することを特徴とするコイン形電池の製造方法。
【請求項８】
凹部は、コイン形電池の直径Ｄに対して０．３〜０．７Ｄの直径の平坦面に形成されてなる請求項７に記載のコイン形電池の製造方法。
【請求項９】
凹部は、その周囲に材厚ｔに対して０．５〜３．０ｔの深さにリング状の溝が形成されてなる請求項７又は８に記載のコイン形電池の製造方法。
【請求項１０】
凹部は、その中心に向けて弧状に深さが暫増する球面に形成されてなる請求項７に記載のコイン形電池の製造方法。
【発明の詳細な説明】
【０００１】
【発明の属する技術分野】
本発明は、円形半殻体に形成された正極ケース及び負極ケースを互いの開口部を対向させた外装ケース内に巻回構造の極板群を収容して高負荷電流特性のコイン形電池を得るコイン形電池の製造方法に関するものである。
【０００２】
【従来の技術】
ボタン形電池、偏平形電池とも称されるコイン形の電池は小型薄型であるため、その特徴を生かして腕時計や補聴器など小型化が要求される場合や、ＩＣカードなどのように薄型化が要求される場合に広く用いられている。
【０００３】
このコイン形電池は、図１１に示すように、円形半殻体に形成された正極ケース３１内に、円盤状に形成された正極ペレット３２と負極ペレット３３とをセパレータ３４を介して対向配置し、電解液を注入した後、正極ケース３１の開口部にガスケット３６を介して負極ケース３５を配し、正極ケース３１の開口端を内側に折り曲げるカシメ加工により正極ケース３１の開口部を負極ケース３５で封口するカシメ封口により、コイン形の外観形状を呈する電池に形成される。
【０００４】
このような正極ペレット３２と負極ペレット３３とを１：１で対面させたコイン形電池の構造では、正極極板と負極極板とが対極する反応面積が小さいことなどの要因によって連続放電電流はせいぜい数１０ｍＡ程度であって、負荷電流が少ない機器にしか適用できない課題があった。
【０００５】
大きな放電電流を取り出すためには、正極極板と負極極板との対極面積を増加させる必要があり、コイン形電池以外の電池では、複数枚の正極極板と負極極板とをセパレータを介して積層した積層構造や、帯状の正極極板と負極極板との間にセパレータを配して渦巻き状に巻回した巻回構造により、反応面積の増大を図る構造が広く用いられている。このような積層構造や巻回構造の極板を、コイン形電池のような高さ寸法が小さく偏平形状の正極ケース内に収容することができれば、放電電流を増大させた偏平形状の電池を実現することができる。これを実現した電池は先に本願出願人が提案し、特開２０００−１６４２５９号公報に開示されたものが知られている。
【０００６】
【発明が解決しようとする課題】
しかし、ここに開示された電池は平面形状が長方形の場合であり、巻回構造または積層構造により薄い直方体形状になった極板群を直方体の正極ケース内に収容するので体積効率のよい電池が構成できるが、平面形状が円形のコイン形電池に適用するには円形の正極ケースに矩形の極板を収容することになり、体積効率が低く充分な電池容量を得ることができない課題があった。
【０００７】
また、コイン形電池をリチウムイオン二次電池のような非水電解液を用いた電池に構成するとき、巻回構造の極板群が水分を含んでいると、初期の充放電時にＨ２  ガスが発生したり極板に膨れが生じ、外装ケースに膨れが及ぶ問題点があった。
【０００８】
また、極板群を構成する正極極板は正極ケースに、負極極板は負極ケースに電気的接続する必要があり、正極極板を構成する正極集電体を正極ケースに圧接させ、負極極板を構成する負極集電体を負極ケースに圧接させる圧接接続や、前記正極集電体を延出させた正極リードを正極ケースに溶接し、前記負極集電体を延出させた負極リードを負極ケースに溶接する溶接接続が適用される。巻回構造により放電電流を増加させた場合に溶接による接続が最も信頼性が高く、図１２に示すように、負極リード４５は溶接電極棒４０、４１により負極ケース４４に押圧され、溶接電極棒４０、４１間に溶接電源４８から印加される溶接電流により負極リード４５は負極ケース４４の内面にスポット溶接される。しかし、溶接による接続では、溶接時に発生する火花やチリが飛散し、これが内部ショートやイオン析出の原因となる。このように溶接による接続は信頼性が高いものの不良発生の原因となる問題点があった。
【０００９】
また、初期使用時に発生するガスにより偏平な巻回構造の厚さが変化して群圧分布にばらつきが生じ、群圧が低い部位にイオン析出が発生したり、外装ケースに膨らみが生じる問題点があった。
【００１０】
本発明が目的とするところは、薄い円筒形の容積内に巻回構造の極板を収容して放電容量の増大を図った巻回構造極板群を用いたコイン形電池における上記課題を解決するコイン形電池の製造方法を提供することにある。
【００１１】
【課題を解決するための手段】
上記目的を達成するための本願の第１発明に係るコイン形電池の製造方法は、正極集電体の両面に正極材料が塗着された正極極板と、負極集電体の両面に負極材料が塗着された負極極板とを、それぞれ収容スペースの円形形状に対応する形状に形成した複数の積層面を順次長さが長くなる連結片で連結した帯状に形成し、前記正極極板の積層面と負極極板の積層面とがセパレータを介して交互に積層されるように前記連結片で折り曲げて正極極板と負極極板とを偏平に巻回して極板群を形成し、この極板群を円形半殻体に形成された正極ケースと負極ケースとをそれぞれの開口部を対面させて結合する内部空間内に収容し、正極ケースと負極ケースとの間を封口してコイン形電池に形成することを特徴とする。
【００１２】
上記第１発明に係る製造方法によれば、正極極板と負極極板とは正極ケース及び負極ケースの円形の収容スペースに対応する形状に形成された積層面を連結片で連結して構成されるので、正極極板と負極極板とを積層面の間にセパレータを介して偏平に巻回して極板群を形成することができ、これを正極ケースと負極ケースとによる円形の収容空間に収容すると、無駄な空きスペースを増加させることなく、巻回構造と相まって正極極板と負極極板との対向面積を増加させることができ、高負荷電流特性を有するコイン形電池を構成することができる。
【００１３】
また、本願の第２発明に係るコイン形電池の製造方法は、正極集電体の両面に正極材料が塗着された正極極板と、負極集電体の両面に負極材料が塗着された負極極板とをそれぞれ一定幅の帯状に形成し、前記正極極板と負極極板とを一定幅の帯状に形成されたセパレータを介して平面形状が四角形になるような偏平に巻回して極板群形成準備品を形成し、この極板群形成準備品の四隅角部を厚さ方向に直線もしくは円弧に裁断して略八角形の極板群に形成し、この極板群を円形半殻体に形成された正極ケースと負極ケースとをそれぞれの開口部を対面させて結合する内部空間内に収容し、正極ケースと負極ケースとの間を封口してコイン形電池に形成することを特徴とするものである。
【００１４】
上記第２発明に係る製造方法によれば、巻回構造の極板群は正極極板と負極極板とをセパレータを介して偏平に巻回して平面形状が四角形に形成された四隅角部を裁断して略八角形に形成されるので、正極ケースと負極ケースとによる円形の収容空間に無駄な空きスペースを増加させることなく収容され、巻回構造と相まって正極極板と負極極板との対向面積を増加させることができ、高負荷電流特性を有するコイン形電池を構成することができる。
【００１５】
上記製造方法において、極板群形成準備品の四隅角部は、熱カッターにより裁断すると、樹脂製のセパレータは溶融して裁断面を覆い巻回された各層のセパレータを溶着するので、巻回構造を緊束するためのテープ等が不要となり、テープが電解液の含浸の障害となる問題が解消される。
【００１６】
また、極板群形成準備品の四隅角部は、−７０℃以下の雰囲気下で型抜きすると、低温下ではセパレータと正極極板及び負極極板に粘りが無くなり、存在位置で裁断されて層間短絡を発生させない。この裁断方法では、裁断面に正極極板と負極極板とが露出するので、裁断部分に熱硬化性樹脂を塗布すると、絶縁と層間結合とがなされる。
【００１９】
また、本願の第４発明に係るコイン形電池の製造方法は、一端に正極リードが形成された正極極板と、一端に負極リードが形成された負極極板とを、巻き終りの一方面側に正極リード、他方面側に負極リードが位置するようにセパレータを介して偏平に巻回して極板群を形成し、円形半殻体に形成された正極ケース及び負極ケースからなる外装体のいずれか一方のケース内に前記極板群を配設し、前記正極リードを正極ケースの内面に超音波溶接し、前記負極リードを負極ケースの内面に絶縁性受台で押圧した状態で負極ケース外面の負極リード押圧位置に対応する位置に圧接させた一対の溶接電極の間に溶接電流を印加するシリーズ溶接により負極リードを負極ケースの内面に溶接し、正極ケースと負極ケースとの間を封口してコイン形電池に形成することを特徴とする。
【００２０】
上記第４発明に係るコイン形電池の製造方法によれば、ケースの外側に当接された一対の溶接電極によるシリーズ溶接によりリードがケースに溶接接続されるので、ケース内には溶接時の火花やチリが飛散することがなく、極板群やケース内に飛散した火花やチリが原因となるイオン析出や内部ショートを防止することができる。巻回構造の極板群により放電特性を向上させて大きな電流を取り出すのに溶接接続が有効であり、これが弊害を発生させることなく実施できるので、放電特性を増加させたコイン形電池の信頼性を向上させることができる。
【００２１】
また、本願の第５発明は、円形半殻体に形成された正極ケースと負極ケースとを互いの開口部を対向配置した内部空間内に、正極極板と負極極板とをセパレータを介して巻回した極板群を収容し、正極ケースと負極ケースとをそれぞれの側周面の間にガスケットを配して結合するコイン形電池の製造方法であって、前記正極ケース及び／又は負極ケースの底面に内側に向けて凹部を形成し、この凹部により前記内部空間内に収容した極板群が緊迫されるように正極ケースと負極ケースとの間を結合することを特徴とする。
【００２２】
上記第５発明に係るコイン形電池の製造方法によれば、正極ケースと負極ケースとを結合したとき、内部に収容された極板群は凹部により緊迫力が加えられるので、電池の初期使用時のガス圧により極板の積層状態に変化が生じることが抑制される。
【００２３】
上記製造方法において、凹部は、コイン形電池の直径Ｄに対して０．３〜０．７Ｄの直径の平坦面に形成すると、極板群に緊迫力を平坦に加えることができる。
【００２４】
また、凹部は、その周囲に材厚ｔに対して０．５〜３．０ｔの深さにリング状の溝を形成することもでき、リング状の溝により弾性的に極板群に緊迫力を与えることができる。
【００２５】
また、凹部は、その中心に向けて弧状に深さが暫増する球面に形成することもでき、最も厚さ変化が生じやすい極板群の中央部分を重点的に緊迫することができる。
【００２６】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００２７】
本実施形態に係るコイン形電池は、リチウムイオン二次電池として構成した例を示すもので、図１に断面図として示すように、円形半殻体に形成された正極ケース４と負極ケース５とを封口結合した内部空間内に、正極極板と負極極板とをセパレータを介して巻回した巻回構造の極板群１を収容して、高負荷電流特性を有するコイン形電池に構成したものである。
【００２８】
前記極板群１は、図３（ａ）に示すように一定幅の帯状に形成された正極極板７と、図３（ｂ）に示すように一定幅の帯状に形成された負極極板８とを、図３（ｃ）に示すように一定幅の帯状に形成されたセパレータ９を介して偏平に巻回することにより、図４に示すように、平面形状が四角形に形成された極板群形成準備品１７に形成し、この極板群形成準備品１７の各角部をカットして平面形状が略八角形に形成される。この各角部をカットする方法により、図２に示す極板群１ａ、図６に示す極板群１ｂに構成することができる。
【００２９】
図２は、負極ケース５内に極板群１ａを収容した状態を平面図として示すもので、負極ケース５によって形成された円形の空間内に、無駄な空間が形成されない八角形の平面形状に形成される。また、図６に示すように、各角部を円弧でカットした極板群１ｂでは、負極ケース５内に収容したときのスペース効率はより向上する。従って、巻回構造と相まって電池の体積あたりの電池容量が大きい体積効率のよいコイン形電池に構成することができる。この極板群１ａ、１ｂの製造方法について以下に説明する。
【００３０】
正極極板７は、アルミニウム箔によって形成された正極集電体の両面に正極材料を塗着させた正極極板材から所定の幅と長さに切り出され、巻回の巻き終りとなる一端側に正極集電体を延出した正極リード１５が形成される。また、負極極板８は、銅箔によって形成された負極集電体の両面に負極材料を塗着させた負極極板材から所定の幅と長さに切り出され、巻回の巻き終りとなる一端側に負極集電体を延出した負極リード１６が形成される。また、前記セパレータ９は微多孔性ポリエチレンフィルムをテープ状に形成したもので、正極極板７及び負極極板８の幅寸法より大きな幅のテープ状に形成される。
【００３１】
この正極極板７と負極極板８とをセパレータ９を介して偏平に巻回し、図４に示すように、平面形状が長方形となる偏平形状の極板群形成準備品１７を形成する。この極板群形成準備品１７は、一方の偏平面に正極リード１５が、他方の面に負極リード１６が位置するように巻回される。
【００３２】
前記極板群形成準備品１７は、図５（ａ）（ｂ）に示すように、長方形の各角部をカットして平面形状が略八角形の極板群１に形成する。裁断は、熱カッターによって角部を裁断する方法、または−７０℃以下の温度条件下で円弧に型抜きする方法を適用することができる。
【００３３】
前記熱カッターによる裁断方法では、図５（ａ）に示すように、加熱されたカッターで極板群形成準備品１７の各角部を直線に裁断して八角形の極板群１ａが形成される。この熱カッターによる裁断では、熱カッターによりセパレータ９の切断面が溶融するので、層間のセパレータ９が切断面で溶融接合され、巻回状態に結束するためのテープを用いることなく巻回状態を固定することができる。また、溶融したセパレータ９により正極極板７及び負極極板８の切断面が覆われるので層間短絡が防止できる。
【００３４】
また、前記−７０℃以下の温度条件は、ドライアイスや液体窒素により実現することができ、図５（ｂ）に示すように、極板群形成準備品１７を−７０℃以下の温度条件下において各角部を円弧で打ち抜くと、図６に示すように、よりスペース効率のよい極板群１ｂに形成される。この低温下で型抜きする方法によれば、正極極板７及び負極極板８は超低温により粘りのない状態で打ち抜かれるので、極板金属が延びて層間短絡を生じさせることがない。しかし、打ち抜き面に正極極板７及び負極極板８の切断面が露出しているので、打ち抜き面に熱硬化性樹脂を塗布して熱硬化させると、層間の電気的絶縁が確保されると同時に、巻回状態をテープで結束することなく保持することができる。
【００３５】
上記のように形成された極板群１ａは、図２に示すように、負極ケース５内にその底面に負極リード１６の形成側が向くようにして収容される。極板群１ａは縦長に形成されているので、極板群１ａのリード延出方向は負極ケース５の側周面との間に間隙ができ、負極リード１６を負極ケース５の底面にシリーズ溶接するための絶縁受台１１（後述）を挿入することができる。負極ケース５に負極リード１６をシリーズ溶接した後、極板群１ａの上面から長く延出している正極リード１５の先端を正極ケース４の底面に超音波溶接する。正極リード１５の材質はアルミニウム箔であり、抵抗溶接が困難であるため正極リード１５は超音波溶接が用いられる。尚、極板群１ｂの場合も同様に処理される。
【００３６】
負極ケース５の側周面には、図１に示すように、樹脂製のガスケット６が装着され、負極ケース５内には所定量の電解液が注入される。この電解液が極板群１ａ内に含浸されるまでの待機時間を経た後、負極ケース５上に正極ケース４が被せられ、正極ケース４の側周面の開口端側を周囲から負極ケース５側に折り曲げるカシメ加工により、ガスケット６は負極ケース５の側周面に形成された段差上に圧縮され、負極ケース５と正極ケース４との間が封口され、図１に示すようなコイン形電池が完成する。
【００３７】
上記負極リード１６を負極ケース５の内面に溶接するとき、図１１に示したように、負極ケース５の内側と外側とに溶接電極棒４０、４１を配して負極リード１６を負極ケース５にスポット溶接すると、溶接時に発生する火花やチリがイオン析出や内部ショートの原因となることは前述した通りである。そこで、本実施形態においては、負極リード１６の負極ケース５への溶接をシリーズ溶接によって実施する。
【００３８】
図７に示すように、セラミックのような絶縁性、耐熱性材料によって形成された絶縁受台１１により負極リード１６を負極ケース５の内面に押圧した状態で、負極ケース５の負極リード１６押圧位置に対応する外面に一対の溶接電極棒１２、１３を当接させ、溶接電源１４から溶接電極棒１２、１３間に大電流を瞬時に供給する。負極リード１６が絶縁受台１１により負極ケース５に押圧されていることにより、電流は一方の溶接電極棒１２から負極ケース５、負極リード１６を通じて他方の溶接電極棒１３に流れ、負極ケース５と負極リード１６との間の接触抵抗及び溶接電極棒１２、１３間の加熱により銅箔により形成された負極リード１６は容易に溶融して加熱された負極ケース５に溶接される。この溶接時に火花やチリが発生しても負極ケース５の外側なので、火花やチリは負極ケース５の内部に入ることがなく、それらによるイオン析出や内部ショートの原因を生じさせない。
【００３９】
リチウムイオン二次電池の場合、極板群１を構成するセパレータ９は３０μｍ以下であり、更に薄いセパレータ９を用いる傾向にもあるので、溶接時に発生した火花の残存物やチリがケース内部に残ることは許されないが、この溶接方法によって信頼性の高いリチウムイオン二次電池を構成することができる。また、溶接によるリード接続によって、巻回構造の極板群１により大きな放電電流に対応することができる。
【００４０】
また、リチウムイオン二次電池のように非水電解液を使用する電池では、電池内部に残存する水分は極力少なくする必要がある。電池内部の水分は、電池の初期充放電時にＨ２  ガスを発生させ、極板に膨れを発生させ、ケースの膨張や電池性能の低下を来す。そこで、本実施形態においては、負極ケース５内に極板群１を収容し、負極リード１６を前述のように負極ケース５にシリーズ溶接し、図８に示すように、展開状態に置いた正極ケース４に正極リード１５を超音波溶接し、これを治具（図示せず）と共に真空乾燥炉中に入れて真空乾燥処理する。真空乾燥処理の条件は、温度：５０〜９０℃、真空度：６５０ｍｍＨｇ（８６，６６０Ｐａ）以上、処理時間：３時間以上が望ましい。
【００４１】
この真空乾燥処理により、極板群１はもとより正極ケース４及び負極ケース５更には治具の水分が除去されるので、その後の非水電解液の含浸もスムーズになされ、ガスの発生や極板の膨れ等が抑制されて信頼性の高いコイン形電池に構成することができる。
【００４２】
また、電池内部にガスが発生したとき、ガス圧により極板群１の巻回状態に変化が生じて積層圧が一定状態でなくなると、圧力の低い部位にはイオン析出が発生することが知られている。これを防止するためには、極板群１に緊迫力を安定して加えるのが効果的である。極板群１に緊迫力を加えるために、図９（ａ）（ｂ）（ｃ）に示すように、正極ケース４及び／又は負極ケース５に凹部１８ａ、１８ｂ、１９、２０を設けることができる。
【００４３】
図９（ａ）に示す構成は、正極ケース４ａ及び負極ケース５ａに、正極ケース４ａの直径Ｄ１  に対して、その（０．３〜０．７）Ｄ１  となる直径ｄ１  の凹部１８ａ、１８ｂを形成したものである。負極ケース５ａの側周部にガスケット６を介して正極ケース４ａを被せ、正極ケース４ａの側周部の開口端側を縮口してカシメ封口したとき、極板群１の厚さ方向に凹部１８ａ、１８ｂによる緊迫力が加えられ、巻回されて積層状態になった厚さ方向に一定の圧力で緊迫される。
【００４４】
また、図９（ｂ）に示す構成は、負極ケース５ｂにリング状の凹部１９を形成したもので、凹部１９を形成するリングの直径ｄ２  は負極ケース５ｂの直径Ｄ２  に対して（０．３〜０．７）Ｄ２  に、深さＡは負極ケース５ｂの材厚ｔに対して（０．５〜３．０）ｔになるように形成される。凹部１９により弾性的に極板群１に緊迫力が加えられるので、ガス圧により負極ケース５ｂに膨らみが生じたときにも極板群１に対する緊迫力は持続される。尚、ここでは負極ケース５ｂにのみ凹部１９を形成しているが、正極ケース４ｂにも同様に形成するとより効果的である。また、凹部１９のリング形状は必ずしも円形に形成する必要はなく、異形状であっても同様の効果が得られる。
【００４５】
また、図９（ｃ）に示す構成は、負極ケース５ｃの底面に内部方向に膨出するような円弧状の凹部２０を形成したものである。この凹部２０によっても極板群１の最も膨れが生じやすい中央部位に緊迫力が加えられるので、極板群１はその厚さ方向の変化が防止される。この構成においても正極ケース４ｃに同様の凹部２０を形成することができる。
【００４６】
以上説明した実施形態に示した極板群１ａ、１ｂは、一定幅の正極極板７及び負極極板８をセパレータ９を介して巻回した後、角部を直線又は円弧で裁断して構成しているが、図１０に示すように、正極極板７ａ及び負極極板８ａをその積層部分を予め円弧に形成した後、偏平に巻回して極板群１ｃに構成することもできる。
【００４７】
図１０において、幅方向の両側を円弧に形成した複数の積層面１７ａ〜１７ｅを連結片１９ａ〜１９ｄで連結した正極極板７ａと、複数の積層面１８ａ〜１８ｅを連結片２０ａ〜２０ｄで連結した負極極板８ａとを形成し、正極極板７ａの積層面１７ａ〜１７ｅと負極極板８ａの積層面１８ａ〜１８ｅとがセパレータ９を介して積層されるように連結片１９ａ〜１９ｄ、２０ａ〜２０ｄで折り曲げて偏平に巻回して、極板群１ｃに形成する。この極板群１ｃは、図１１に示すように、負極ケース５内にスペース効率よく収容することができる。この場合にも、正極リード１５及び負極リード１６の処理、真空乾燥処理等についても前述の構成と同様に実施することができる。
【００４８】
【発明の効果】
以上の説明の通り本発明の製造方法によれば、円形半殻体に形成されたケース内に巻回構造の極板群をスペース効率よく収容することができる。また、極板群は一定幅の帯状に形成した正極極板及び負極極板を偏平に巻回した四角形の角部をカットして形成されるので、極板群の製造が簡単で、巻回状態をテープで結束する必要もなく、円形のケースに巻回構造の極板群を収容して高放電電流特性を得るコイン形電池の生産性を向上させることができる。
【００４９】
また、巻回構造の電極群を用いてコイン形電池を構成するときの課題である水分の除去、リード溶接時の火花やチリの排除、極板群に対する緊迫力の変化を解決することができ、巻回構造により高負荷放電特性を得て信頼性の高いコイン形電池を構成することができる。
【図面の簡単な説明】
【図１】実施形態に係るコイン形電池の構成を示す断面図。
【図２】負極ケースに極板群を収容した状態を示す平面図。
【図３】極板群を構成する（ａ）は正極極板、（ｂ）は負極極板、（ｃ）はセパレータの構成を示す展開図。
【図４】極板群形成準備品の構成を示す斜視図。
【図５】極板群形成準備品を極板群に形成する（ａ）は熱カッターによる裁断方法、（ｂ）は低温状態での型抜き方法を示す平面図。
【図６】負極ケースに極板群を収容した状態を示す平面図。
【図７】負極リードの溶接方法を示す説明図。
【図８】真空乾燥状態を示す説明図。
【図９】極板群に緊迫力を与えるケース構造の例を（ａ）（ｂ）（ｃ）の実施態様として示す断面図。
【図１０】極板群を構成する（ａ）正極極板、（ｂ）負極極板の別態様を示す展開図。
【図１１】負極ケースに極板群を収容した状態を示す平面図。
【図１２】従来技術に係るコイン形電池の構成を示す断面図。
【図１３】従来のリードの溶接方法を示す説明図。
【符号の説明】
１、１ａ、１ｂ、１ｃ  極板群
４  正極ケース
５  負極ケース
６  ガスケット
７、７ａ  正極極板
８、８ａ  負極極板
９  セパレータ
１１  絶縁受台
１２、１３  溶接電極棒
１５  正極リード
１６  負極リード
１７  極板群形成準備品
１８ａ、１８ｂ、１９、２０  凹部
【図１】
0004768912.tif 000002
【図２】
0004768912.tif 000003
【図３】
0004768912.tif 000004
【図４】
0004768912.tif 000005
【図５】
0004768912.tif 000006
【図６】
0004768912.tif 000007
【図７】
0004768912.tif 000008
【図８】
0004768912.tif 000009
【図９】
0004768912.tif 000010
【図１０】
0004768912.tif 000011
【図１１】
0004768912.tif 000012
【図１２】
0004768912.tif 000013
【図１３】
0004768912.tif 000014